(57)【要約】【課題】常時は収納しておき、必要に応じて展開して大人が立った自然な状態でおむつの交換が可能な収納式おむつ替え台を備えたベビーベッドを提供する。【解決手段】１対の脚を有する前フレーム２と、１対の脚を有する後フレーム３と、前フレーム２から後フレーム３に延びるマット６と、その上に乳児を寝かせておむつを替えるための作業台７２と、作業台７２を立ち上がって折り畳んだ状態で収納するための収納ボックス７１と、作業台７２を収納ボックス７１から展開したとき、作業台７２を水平状態に支持するための支え部材７３とを含む。【選択図】　　　　図２
2004041628.tif 000002
【特許請求の範囲】
【請求項１】
１対の脚を有する前フレームと、
１対の脚を有する後フレームと、
前記前フレームから前記後フレームに延びるベッド床フレームと、
前記前フレームおよび前記後フレームのいずれか一方に沿って立ち上がって折り畳む状態と、水平方向に延在する展開状態とを有し、前記展開状態で乳児を寝かせておむつを替えるための収納式おむつ替え台とを備えたことを特徴とする、ベビーベッド。
【請求項２】
前記収納式おむつ替え台は、
その上に乳児を寝かせておむつを替えるための作業台と、
前記前フレームおよび前記後フレームのいずれか一方に固定され、前記作業台を立ち上がって折り畳んだ状態で収納するための収納ボックスと、
前記作業台を前記収納ボックスから展開したとき、該作業台を水平状態に支持するための支え部材とを含むことを特徴とする、請求項１に記載のベビーベッド。
【請求項３】
前記収納ボックスは前記作業台を前記折り畳んだ状態から前記展開状態にするために、該作業台の下部をガイドするためのガイド部を含み、前記作業台の両側面は前記ガイド部によってガイドされる被ガイド部を含み、前記支え部材の下端は前記収納ボックスの下端に回動可能に結合されていて、その上端は前記作業台の裏面を回動可能に支持することを特徴とする、請求項２に記載のベビーベッド。
【請求項４】
前記ガイド部は前記収納ボックスの両側壁内面に上下方向に延びるように形成される長穴を含み、
前記被ガイド部は前記作業台の両側面に形成され、前記長穴に沿って摺動するピン部材を含むことを特徴とする、請求項３に記載のベビーベッド。
【請求項５】
前記長穴の下端は前記作業台が立ち上がって折り畳んだとき前記ピン部材が当接する位置であり、前記長穴の上端は前記作業台が水平に展開したとき前記ピン部材が当接する位置であることを特徴とする、請求項４に記載のベビーベッド。
【請求項６】
前記作業台の裏面には前記支え部材を受け入れる受け入れ凹部が形成されていて、
前記受け入れ凹部の上端には前記支え部材の上部を回動可能に支持するピン部材が設けられることを特徴とする、請求項２に記載のベビーベッド。
【発明の詳細な説明】
【０００１】
【発明の属する技術分野】
この発明はベビーベッドに関し、特に、折り畳み自在なおむつ替え台を備えたベビーベッドに関する。
【０００２】
【従来の技術】
乳児は誕生してからほぼ１歳を経過するまでベビーベッドに寝かされる。ベビーベッド上でおむつを交換すると汚れる恐れがあるため、畳あるいは絨毯上にビニールシートなどを敷き、その上でおむつを交換している。
【０００３】
【発明が解決しようとする課題】
しかしながら、従来の方法ではおむつ交換の度に膝まづく必要があるため、母親の腰にかかる負担が大きいという問題がある。また、おむつ交換のための専用の台などを設置すると、場所を取り部屋を狭くしてしまう。
【０００４】
それゆえに、この発明の主たる目的は、常時は収納しておき、必要に応じて展開して大人が立った状態でおむつの交換が可能な収納式おむつ替え台を備えたベビーベッドを提供することである。
【０００５】
【課題を解決するための手段】
この発明は、１対の脚を有する前フレームと、１対の脚を有する後フレームと、前フレームから後フレームに延びるベッド床フレームと、前フレームおよび後フレームのいずれか一方に沿って立ち上がって折り畳む状態と、水平方向に延在する展開状態とを有し、展開状態で乳児を寝かせておむつを替えるための収納式おむつ替え台とを備えたことを特徴とする。
【０００６】
また、収納式おむつ替え台は、その上に乳児を寝かせておむつを替えるための作業台と、前フレームおよび後フレームのいずれか一方に固定され、作業台を立ち上がって折り畳んだ状態で収納するための収納ボックスと、作業台を収納ボックスから展開したとき、該作業台を水平状態に支持するための支え部材とを含む。
【０００７】
また、収納ボックスは作業台を折り畳んだ状態から展開状態にするために、該作業台の下部をガイドするためのガイド部を含み、作業台の両側面はガイド部によってガイドされる被ガイド部を含み、支え部材の下端は収納ボックスの下端に回動可能に結合されていて、その上端は作業台の裏面を回動可能に支持することを特徴とする。
【０００８】
さらに、ガイド部は収納ボックスの両側壁内面に上下方向に延びるように形成される長穴を含み、被ガイド部は作業台の両側面に形成され、長穴に沿って摺動するピン部材を含むことを特徴とする。
【０００９】
さらに、長穴の下端は作業台が立ち上がって折り畳んだときピン部材が当接する位置であり、長穴の上端は作業台が水平に展開したときピン部材が当接する位置であることを特徴とする。
【００１０】
さらに、作業台の裏面には支え部材を受け入れる受け入れ凹部が形成されていて、受け入れ凹部の上端には支え部材の上部を回動可能に支持するピン部材が設けられることを特徴とする。
【００１１】
【発明の実施の形態】
図１はこの発明の一実施形態のおむつ替え台を収納したときのベビーベッドを示す外観斜視図であり、図２はおむつ替え台を展開したときのベビーベッドを示す外観斜視図である。
【００１２】
まず、図１および図２を参照してこの発明の一実施形態の概要について説明する。ベビーベッド１は前フレーム２と、後フレーム３と、１対の側面フレーム４，５と、マット６と、収納式おむつ替え台７とを含む。前フレーム２および後フレーム３はそれぞれの上部が円弧状に形成されており、それぞれ１対の脚２１，２２，３１，３２を含む。１対の側面フレーム４，５は、それぞれが長方形の枠部材４１，５１を含んでおり、乳児が寝返りをしたときに落下するのを防止する。また、側面フレーム４，５は幼児を寝かしつけたり、抱き上げたりするのが容易なように前フレーム２および後フレーム３に対して上方向に引き抜き可能に、または上下方向に高さ調節可能にされている。このため、前フレーム２および後フレーム３と、側面フレーム４，５との当接面には図示しないが互いに嵌合する凸部と凹部とが形成されている。また、側面フレーム４，５の枠部材４１，５１には前後に３本ずつ縦棒４２，５２が上下方向に取り付けられており、中央部分には檻のイメージを避けるため、透明樹脂板４３，５３が嵌め込まれている。
【００１３】
収納式おむつ替え台７は図２に示すように後フレーム３に固定されていて、収納ボックス７１と、作業台７２と、支え部材７３とを含む。作業台７２は通常は図１に示すように収納ボックス７１に折り畳まれており、おむつ交換時には図２に示すように展開されて支え部材７３により水平状態に支持され、その上に乳児が寝かされる。作業台７２は母親が立った自然な状態でおむつが交換可能なように有効な高さで水平状態が保たれる。これにより、母親の腰への負担を軽減できる。また、おむつ交換を終えると作業台７２を収納ボックス７１に収納できるので邪魔になることがなく室内を狭くすることがない。
【００１４】
図３は収納式むおつ替え台７側から見たベビーベッドの側面図であり、図４は収納ボックス７１の外観斜視図であり、図５は作業台７２の外観斜視図である。
【００１５】
図４に示すように、収納ボックス７１は上部と前面側が開口されており、前フレーム２または後フレーム３に取り付けられる。収納ボックス７１の両側壁７１１の内側にはガイド部となる有底の長穴７１２が上下方向に延びるように形成されている。収納ボックス７１の上部には作業台７２を収納したとき作業台７２が不用意に開かないように吸引するためのマグネット７１３が取り付けられている。
【００１６】
作業台７２は比較的厚みのある板部材で形成されており、上側の作業面にはクッション部材が貼り付けられている。作業台７２の両側面の下部には被ガイド部としてのピン部材７２１が図示しないばねにより外側に突出するように設けられている。このピン部材７２１は収納ボックス７１に形成した長穴７１２に嵌合し、作業台７２を収納ボックス７１に収納した状態から展開した状態に至るときに長穴７１２内を摺動して作業台７２の一端側を支持する。長穴７１２の下端は作業台７２が立ち上がって折り畳んだときピン部材７２１が当接する位置であり、長穴７１２の上端は作業台７２が水平に展開したときピン部材７１２が当接する位置に選ばれている。
【００１７】
作業台７２の下面には支え部材７３を受け入れるための受け入れ凹部７２２が形成されており、この受け入れ凹部７２２の側面上部には支え部材７３の上部を回動可能に保持するためのピン部材７２３が取り付けられている。また、支え部材７３の下部は蝶番７２４によって収納ボックス７１の前面側下部に取り付けられる。
【００１８】
図６ないし図８は作業台を収納状態から展開するまでの動きを示す図である。まず、図６に示すように作業台７２を収納ボックス７１に収納した状態では、作業台７２が後フレーム３に沿って立ち上がって折り畳まれた状態にあり、作業台７２の下部に設けられているピン部材７２１は収納ボックス７１の長穴７１２の最下部に位置している。また、支え部材７３も作業台７３に対して平行に立ち上がった状態で位置している。
【００１９】
作業台７２を展開するときは、作業台７２の上部を手前側に引くと、図７に示すように下部の蝶番７２４を支点として支え部材７３が時計方向に回動し、その回動に伴って作業台７２の下部のピン部材７２１が収納ボックス７１の長穴７１２に沿って上昇する。作業台７２をさらに手前側に引くとピン部材７２１が長穴７１２の最上部に位置し、作業台７２が図８に示すように水平な展開状態になる。
【００２０】
作業台７２を収納ボックス７１に収納するときは、展開時と逆に作業台７２の端部を手で持ち上げて、図８から図７の状態にし、さらに作業台７２を収納ボックス７１に押し込めば図６に示すように笑納状態にすることができる。
【００２１】
図面を参照してこの発明の一実施形態を説明したが、本発明は、図示した実施形態に限定されるものではない。本発明と同一の範囲内において、または均等の範囲内において、図示した実施形態に対して種々の変更を加えることが可能である。
【発明の効果】
以上のように、この発明によれば、ベビーベッドの前フレームおよび後フレームのいずれか一方に沿って立ち上がって折り畳む状態と、水平方向に延在する展開状態とを有し、展開状態で乳児を寝かせておむつを替えるための収納式おむつ替え台を設けるようにしたので、母親が立った自然な状態でおむつを交換することができ、母親の腰への負担を軽減できる。しかも、おむつの交換を終えると作業台を立ち上がって折り畳んだ状態にすることができるため、設置場所がとられることがないので室内を狭くすることがない。
【図面の簡単な説明】
【図１】この発明の一実施形態のおむつ替え台を収納したときのベビーベッドを示す外観斜視図である。
【図２】おむつ替え台を展開したときのベビーベッドを示す外観斜視図である。
【図３】収納式むおつ替え台側から見たベビーベッドの側面図である。
【図４】収納ボックスの外観斜視図である。
【図５】作業台の外観斜視図である。
【図６】作業台の収納状態を示す作用図である。
【図７】作業台を収納状態から展開する状態を示す作用図である。
【図８】作業台を展開した状態を示す図である。
【符号の説明】
１　ベビーベッド、２　前フレーム、３　後フレーム、４、５　側面フレーム、６　マット、７　収納式おむつ替え台、２１，２２，３１，３２　脚、４１，５１　枠部材、４２，５２　縦棒、４３，５３　透明樹脂版、７１　収納ボックス、７２　作業台、７３　支え部材、７１１　側壁、７１２　長穴、７１３　マグネット、７２１，７２３　ピン部材、７２２　受け入れ凹部、７２４　蝶番。
【図１】
2004041628.tif 000003
【図２】
2004041628.tif 000004
【図３】
2004041628.tif 000005
【図４】
2004041628.tif 000006
【図５】
2004041628.tif 000007
【図６】
2004041628.tif 000008
【図７】
2004041628.tif 000009
【図８】
2004041628.tif 000010